(57)【特許請求の範囲】
【請求項１】
バッテリー筐体のポスト立設面に設けられた第１バッテリーポストが挿入される挿入孔を有し、前記第１バッテリーポストに組み付けられるバッテリー端子に装着可能である装着部と、
前記装着部に設けられ、前記バッテリー端子が前記装着部と共に前記第１バッテリーポストに組み付けられた状態で、前記ポスト立設面と直交する方向に沿って延在する面であって前記バッテリー筐体の側面を構成する第１側面と対向し、当該第１側面と当接することで前記第１バッテリーポストを回転中心とした前記バッテリー端子の回転を規制可能である第１回り止め部と、
前記装着部に設けられ、前記バッテリー端子が前記装着部と共に前記第１バッテリーポストに組み付けられた状態で、前記ポスト立設面、及び、前記第１側面と直交する方向に沿って延在する面であって前記バッテリー筐体の側面を構成する第２側面と対向し、当該第２側面と当接することで前記第１バッテリーポストを回転中心とした前記バッテリー端子の回転を規制可能である第２回り止め部とを備え、
前記第１回り止め部は、前記挿入孔の挿入孔中心軸線と当該第１回り止め部との距離が、前記第１バッテリーポストのポスト中心軸線と前記第１側面との距離以上で、かつ、前記第１バッテリーポストのポスト中心軸線と前記第２側面との距離未満となる位置に形成され、
前記バッテリー筐体は、前記第１側面と対向しかつ当該第１側面と平行な面であって前記バッテリー筐体の側面を構成する第３側面を有し、前記ポスト立設面と前記第１側面と前記第２側面とによって形成される角部に前記第１バッテリーポストが設けられ、前記ポスト立設面と前記第２側面と前記第３側面とによって形成される角部に前記第１バッテリーポストとは異なる第２バッテリーポストが設けられ、前記第２バッテリーポストのポスト中心軸線と前記第３側面との距離が前記第１バッテリーポストのポスト中心軸線と前記第１側面との距離と同等であり、かつ、前記第２バッテリーポストのポスト中心軸線と前記第２側面との距離が前記第１バッテリーポストのポスト中心軸線と前記第２側面との距離と同等であり、
少なくとも前記第１回り止め部、又は、前記第２回り止め部の一方は、前記バッテリー端子が前記装着部と共に前記第２バッテリーポストに組み付けられようとした場合、前記バッテリー筐体に当接し干渉することで組み付けを阻止することを特徴とする、
バッテリー端子ストッパ。
【請求項２】
前記ポスト立設面は、前記バッテリー筐体に形成された凹部の底面によって形成され、
さらに、前記装着部に設けられ、前記バッテリー端子が前記装着部と共に前記第１バッテリーポストに組み付けられた状態で、前記第１側面と平行な面であって前記凹部の壁面を構成する第１凹部壁面と対向し、当該第１凹部壁面と当接することで前記第１バッテリーポストを回転中心とした前記バッテリー端子の回転を規制可能である第３回り止め部と、
前記装着部に設けられ、前記バッテリー端子が前記装着部と共に前記第１バッテリーポストに組み付けられた状態で、前記第２側面と平行な面であって前記凹部の壁面を構成する第２凹部壁面と対向し、当該第２凹部壁面と当接することで前記第１バッテリーポストを回転中心とした前記バッテリー端子の回転を規制可能である第４回り止め部とを備える、
請求項１に記載のバッテリー端子ストッパ。
【請求項３】
バッテリー筐体のポスト立設面に設けられた第１バッテリーポストに組み付けられるバッテリー端子と、
前記第１バッテリーポストが挿入される挿入孔を有し前記バッテリー端子に装着可能である装着部と、前記装着部に設けられ、前記バッテリー端子が前記装着部と共に前記第１バッテリーポストに組み付けられた状態で、前記ポスト立設面と直交する方向に沿って延在する面であって前記バッテリー筐体の側面を構成する第１側面と対向し、当該第１側面と当接することで前記第１バッテリーポストを回転中心とした前記バッテリー端子の回転を規制可能である第１回り止め部と、前記装着部に設けられ、前記バッテリー端子が前記装着部と共に前記第１バッテリーポストに組み付けられた状態で、前記ポスト立設面、及び、前記第１側面と直交する方向に沿って延在する面であって前記バッテリー筐体の側面を構成する第２側面と対向し、当該第２側面と当接することで前記第１バッテリーポストを回転中心とした前記バッテリー端子の回転を規制可能である第２回り止め部とを有するバッテリー端子ストッパとを備え、
前記第１回り止め部は、前記挿入孔の挿入孔中心軸線と当該第１回り止め部との距離が、前記第１バッテリーポストのポスト中心軸線と前記第１側面との距離以上で、かつ、前記第１バッテリーポストのポスト中心軸線と前記第２側面との距離未満となる位置に形成され、
前記バッテリー筐体は、前記第１側面と対向しかつ当該第１側面と平行な面であって前記バッテリー筐体の側面を構成する第３側面を有し、前記ポスト立設面と前記第１側面と前記第２側面とによって形成される角部に前記第１バッテリーポストが設けられ、前記ポスト立設面と前記第２側面と前記第３側面とによって形成される角部に前記第１バッテリーポストとは異なる第２バッテリーポストが設けられ、前記第２バッテリーポストのポスト中心軸線と前記第３側面との距離が前記第１バッテリーポストのポスト中心軸線と前記第１側面との距離と同等であり、かつ、前記第２バッテリーポストのポスト中心軸線と前記第２側面との距離が前記第１バッテリーポストのポスト中心軸線と前記第２側面との距離と同等であり、
少なくとも前記第１回り止め部、又は、前記第２回り止め部の一方は、前記バッテリー端子が前記装着部と共に前記第２バッテリーポストに組み付けられようとした場合、前記バッテリー筐体に当接し干渉することで組み付けを阻止することを特徴とする、
バッテリー端子ユニット。
【発明の詳細な説明】
【技術分野】
【０００１】
本発明は、バッテリー端子ストッパ、及び、バッテリー端子ユニットに関する。
【背景技術】
【０００２】
従来のバッテリー端子ストッパ、及び、バッテリー端子ユニットとして、例えば、特許文献１には、バッテリターミナルに固定されるターミナル固定部と、バッテリー上面の凹凸に係合してバッテリー上面に沿う方向の移動が規制されるバッテリー結合部と、ターミナル固定部とバッテリー結合部とを結合した連結部とを備え、バッテリー上のバッテリターミナルの取り付け向きを、正常な取り付け向きに保つターミナル固定補助部材が開示されている。
【先行技術文献】
【特許文献】
【０００３】
【特許文献１】特開２０１５−０３２５４４号公報
【発明の概要】
【発明が解決しようとする課題】
【０００４】
ところで、上述の特許文献１に記載のターミナル固定補助部材は、例えば、誤った位置関係での誤組み付け防止の点で更なる改善の余地がある。
【０００５】
本発明は、上記の事情に鑑みてなされたものであって、誤組み付けを防止することができるバッテリー端子ストッパ、及び、バッテリー端子ユニットを提供することを目的とする。
【課題を解決するための手段】
【０００６】
上記目的を達成するために、本発明に係るバッテリー端子ストッパは、バッテリー筐体のポスト立設面に設けられた第１バッテリーポストが挿入される挿入孔を有し、前記第１バッテリーポストに組み付けられるバッテリー端子に装着可能である装着部と、前記装着部に設けられ、前記バッテリー端子が前記装着部と共に前記第１バッテリーポストに組み付けられた状態で、前記ポスト立設面と直交する方向に沿って延在する面であって前記バッテリー筐体の側面を構成する第１側面と対向し、当該第１側面と当接することで前記第１バッテリーポストを回転中心とした前記バッテリー端子の回転を規制可能である第１回り止め部と、前記装着部に設けられ、前記バッテリー端子が前記装着部と共に前記第１バッテリーポストに組み付けられた状態で、前記ポスト立設面、及び、前記第１側面と直交する方向に沿って延在する面であって前記バッテリー筐体の側面を構成する第２側面と対向し、当該第２側面と当接することで前記第１バッテリーポストを回転中心とした前記バッテリー端子の回転を規制可能である第２回り止め部とを備え、前記第１回り止め部は、前記挿入孔の挿入孔中心軸線と当該第１回り止め部との距離が、前記第１バッテリーポストのポスト中心軸線と前記第１側面との距離以上で、かつ、前記第１バッテリーポストのポスト中心軸線と前記第２側面との距離未満となる位置に形成され、前記バッテリー筐体は、前記第１側面と対向しかつ当該第１側面と平行な面であって前記バッテリー筐体の側面を構成する第３側面を有し、前記ポスト立設面と前記第１側面と前記第２側面とによって形成される角部に前記第１バッテリーポストが設けられ、前記ポスト立設面と前記第２側面と前記第３側面とによって形成される角部に前記第１バッテリーポストとは異なる第２バッテリーポストが設けられ、前記第２バッテリーポストのポスト中心軸線と前記第３側面との距離が前記第１バッテリーポストのポスト中心軸線と前記第１側面との距離と同等であり、かつ、前記第２バッテリーポストのポスト中心軸線と前記第２側面との距離が前記第１バッテリーポストのポスト中心軸線と前記第２側面との距離と同等であり、少なくとも前記第１回り止め部、又は、前記第２回り止め部の一方は、前記バッテリー端子が前記装着部と共に前記第２バッテリーポストに組み付けられようとした場合、前記バッテリー筐体に当接し干渉することで組み付けを阻止することを特徴とする。
【０００７】
また、上記バッテリー端子ストッパでは、前記ポスト立設面は、前記バッテリー筐体に形成された凹部の底面によって形成され、さらに、前記装着部に設けられ、前記バッテリー端子が前記装着部と共に前記第１バッテリーポストに組み付けられた状態で、前記第１側面と平行な面であって前記凹部の壁面を構成する第１凹部壁面と対向し、当該第１凹部壁面と当接することで前記第１バッテリーポストを回転中心とした前記バッテリー端子の回転を規制可能である第３回り止め部と、前記装着部に設けられ、前記バッテリー端子が前記装着部と共に前記第１バッテリーポストに組み付けられた状態で、前記第２側面と平行な面であって前記凹部の壁面を構成する第２凹部壁面と対向し、当該第２凹部壁面と当接することで前記第１バッテリーポストを回転中心とした前記バッテリー端子の回転を規制可能である第４回り止め部とを備えるものとすることができる。
【０００８】
また、上記バッテリー端子ストッパでは、前記バッテリー筐体は、前記第１側面と対向しかつ当該第１側面と平行な面であって前記バッテリー筐体の側面を構成する第３側面を有し、前記ポスト立設面と前記第１側面と前記第２側面とによって形成される角部に前記第１バッテリーポストが設けられ、前記ポスト立設面と前記第２側面と前記第３側面とによって形成される角部に前記第１バッテリーポストとは異なる第２バッテリーポストが設けられ、前記第２バッテリーポストのポスト中心軸線と前記第３側面との距離が前記第１バッテリーポストのポスト中心軸線と前記第１側面との距離と同等であり、かつ、前記第２バッテリーポストのポスト中心軸線と前記第２側面との距離が前記第１バッテリーポストのポスト中心軸線と前記第２側面との距離と同等であるものとすることができる。
【０００９】
上記目的を達成するために、本発明に係るバッテリー端子ユニットは、バッテリー筐体のポスト立設面に設けられた第１バッテリーポストに組み付けられるバッテリー端子と、前記第１バッテリーポストが挿入される挿入孔を有し前記バッテリー端子に装着可能である装着部と、前記装着部に設けられ、前記バッテリー端子が前記装着部と共に前記第１バッテリーポストに組み付けられた状態で、前記ポスト立設面と直交する方向に沿って延在する面であって前記バッテリー筐体の側面を構成する第１側面と対向し、当該第１側面と当接することで前記第１バッテリーポストを回転中心とした前記バッテリー端子の回転を規制可能である第１回り止め部と、前記装着部に設けられ、前記バッテリー端子が前記装着部と共に前記第１バッテリーポストに組み付けられた状態で、前記ポスト立設面、及び、前記第１側面と直交する方向に沿って延在する面であって前記バッテリー筐体の側面を構成する第２側面と対向し、当該第２側面と当接することで前記第１バッテリーポストを回転中心とした前記バッテリー端子の回転を規制可能である第２回り止め部とを有するバッテリー端子ストッパとを備え、前記第１回り止め部は、前記挿入孔の挿入孔中心軸線と当該第１回り止め部との距離が、前記第１バッテリーポストのポスト中心軸線と前記第１側面との距離以上で、かつ、前記第１バッテリーポストのポスト中心軸線と前記第２側面との距離未満となる位置に形成され、前記バッテリー筐体は、前記第１側面と対向しかつ当該第１側面と平行な面であって前記バッテリー筐体の側面を構成する第３側面を有し、前記ポスト立設面と前記第１側面と前記第２側面とによって形成される角部に前記第１バッテリーポストが設けられ、前記ポスト立設面と前記第２側面と前記第３側面とによって形成される角部に前記第１バッテリーポストとは異なる第２バッテリーポストが設けられ、前記第２バッテリーポストのポスト中心軸線と前記第３側面との距離が前記第１バッテリーポストのポスト中心軸線と前記第１側面との距離と同等であり、かつ、前記第２バッテリーポストのポスト中心軸線と前記第２側面との距離が前記第１バッテリーポストのポスト中心軸線と前記第２側面との距離と同等であり、少なくとも前記第１回り止め部、又は、前記第２回り止め部の一方は、前記バッテリー端子が前記装着部と共に前記第２バッテリーポストに組み付けられようとした場合、前記バッテリー筐体に当接し干渉することで組み付けを阻止することを特徴とする。
【発明の効果】
【００１０】
本発明に係るバッテリー端子ストッパ、及び、バッテリー端子ユニットは、各部の寸法関係が上記のように構成されることから、第１バッテリーポストに対して予め定められた特定の位置関係で組み付けることができるので、誤組み付けを防止することができる、という効果を奏する。
【図面の簡単な説明】
【００１１】
【図１】図１は、実施形態に係るバッテリー端子ユニットの概略構成を表す斜視図である。
【図２】図２は、実施形態に係るバッテリー端子ユニットが適用されるバッテリーの平面図である。
【図３】図３は、実施形態に係るバッテリー端子ユニットの概略構成を表す分解斜視図である。
【図４】図４は、実施形態に係るバッテリー端子ストッパの概略構成を表す斜視図である。
【図５】図５は、実施形態に係るバッテリー端子ストッパの裏面側の平面図である。
【図６】図６は、実施形態に係るバッテリー端子ユニットの作用を説明する模式的な平面図である。
【図７】図７は、実施形態に係るバッテリー端子ユニットの作用を説明する模式的な平面図である。
【図８】図８は、実施形態に係るバッテリー端子ユニットの作用を説明する模式的な平面図である。
【図９】図９は、実施形態に係るバッテリー端子ユニットの作用を説明する模式的な平面図である。
【図１０】図１０は、実施形態に係るバッテリー端子ユニットの作用を説明する模式的な平面図である。
【図１１】図１１は、実施形態に係るバッテリー端子ユニットの作用を説明する模式的な平面図である。
【図１２】図１２は、実施形態に係るバッテリー端子ユニットの作用を説明する模式的な平面図である。
【発明を実施するための形態】
【００１２】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１３】
［実施形態］
図１は、実施形態に係るバッテリー端子ユニットの概略構成を表す斜視図である。図２は、実施形態に係るバッテリー端子ユニットが適用されるバッテリーの平面図である。図３は、実施形態に係るバッテリー端子ユニットの概略構成を表す分解斜視図である。図４は、実施形態に係るバッテリー端子ストッパの概略構成を表す斜視図である。図５は、実施形態に係るバッテリー端子ストッパの裏面側の平面図である。図６、図７、図８、図９、図１０、図１１、図１２は、実施形態に係るバッテリー端子ユニットの作用を説明する模式的な平面図である。
【００１４】
なお、以下の説明では、第１バッテリーポストのポスト中心軸線Ｘ１に沿った方向を軸方向という。またここでは、以下の説明を分かり易くするために、便宜的に当該軸方向と直交する２方向のうち一方を長辺方向（第１幅方向）といい、他方を短辺方向（第２幅方向）という。これら第１方向としての軸方向、第２方向としての長辺方向、及び、第３方向としての短辺方向は、互いに直交する。また、以下の説明では、特に断りのない限り、バッテリー端子ユニットの各部が第１バッテリーポストに適正な位置関係で組み付けられた状態での方向として説明する。
【００１５】
図１に示す本実施形態に係るバッテリー端子ユニット１は、バッテリー１００の第１バッテリーポスト１０１に組み付けられるものであり、バッテリー端子２と、バッテリー端子ストッパ３と、カバー４と、連結バスバ５と、ＦＬ（Ｆｕｓｉｂｌｅ  Ｌｉｎｋ：ヒュージブルリンク）ユニット６、７とを備える。
【００１６】
ここで、このバッテリー端子ユニット１が適用されるバッテリー１００は、例えば、車両等に蓄電装置として搭載されるものである。バッテリー１００は、図１、図２に示すように、バッテリー液や当該バッテリー１００を構成する種々の部品を収容するバッテリー筐体１０３、当該バッテリー筐体１０３に設けられた上述の第１バッテリーポスト１０１、第１バッテリーポスト１０１とは異なる第２バッテリーポスト１０２等を含んで構成される。バッテリー筐体１０３は、いずれか１つの面が開放された略矩形箱状の筐体本体１０４と、上記開放された面を閉塞させる蓋部材１０５とを含んで構成され、全体として略直方体形状に形成される。ここでは、バッテリー筐体１０３は、長辺方向に沿った方向が長辺、短辺方向に沿った方向が短辺となるがこれに限らない。第１バッテリーポスト１０１、第２バッテリーポスト１０２は、鉛等により構成され、蓋部材１０５のポスト立設面１０６に立設される。
【００１７】
ポスト立設面１０６は、バッテリー筐体１０３において第１バッテリーポスト１０１、第２バッテリーポスト１０２が立設される面である。ここでは、当該ポスト立設面１０６は、例えば、バッテリー１００が車両等に搭載された状態で、蓋部材１０５の鉛直方向上側の面に形成された凹部１０７（図２も参照）の底面によって形成される。凹部１０７は、蓋部材１０５の鉛直方向上側の面の角位置近傍において略矩形状に陥没した一対の矩形状凹部１０７ａ、１０７ｂと、当該一対の矩形状凹部１０７ａ、１０７ｂを接続する接続凹部１０７ｃとを含んで形成される。一対の矩形状凹部１０７ａ、１０７ｂは、短辺方向の一方側で、長辺方向に互いに対向する角部に形成される。第１バッテリーポスト１０１、第２バッテリーポスト１０２は、蓋部材１０５の鉛直方向上側の面の角位置近傍に形成された凹部１０７内のポスト立設面１０６に立設される。
【００１８】
より詳細には、第１バッテリーポスト１０１は、凹部１０７を構成する矩形状凹部１０７ａ内のポスト立設面１０６に立設される。つまり、第１バッテリーポスト１０１は、矩形状凹部１０７ａの底面を構成するポスト立設面１０６と、蓋部材１０５の短辺方向に沿った一方の側面（側端面）を構成する第１側面１０８と、蓋部材１０５の長辺方向に沿った一方の側面（側端面）を構成する第２側面１０９とによって形成される長辺方向一方側の角部に設けられる。同様に、第２バッテリーポスト１０２は、凹部１０７を構成する矩形状凹部１０７ｂ内のポスト立設面１０６に立設される。つまり、第２バッテリーポスト１０２は、矩形状凹部１０７ｂの底面を構成するポスト立設面１０６と、第２側面１０９と、蓋部材１０５の短辺方向に沿った他方の側面（側端面）を構成する第３側面１１０とによって形成される長辺方向他方側の角部に設けられる。ここで、第１側面１０８は、ポスト立設面１０６と直交する方向に沿って延在する面であってバッテリー筐体１０３の側面を構成する。第２側面１０９は、ポスト立設面１０６、及び、第１側面１０８と直交する方向に沿って延在する面であってバッテリー筐体１０３の側面を構成する。第３側面１１０は、第１側面１０８と長辺方向に対向しかつ当該第１側面１０８と平行な面であってバッテリー筐体１０３の側面を構成する。ポスト立設面１０６と第１側面１０８と第２側面１０９とは、相互に直交し第１バッテリーポスト１０１が設けられる角部、すなわち、矩形状凹部１０７ａに相当する部分を形成する。ポスト立設面１０６と第２側面１０９と第３側面１１０とは、相互に直交し第２バッテリーポスト１０２が設けられる角部、すなわち、矩形状凹部１０７ｂに相当する部分を形成する。
【００１９】
なお、矩形状凹部１０７ａは、第１凹部壁面１１１と第２凹部壁面１１２とによって形成される。第１凹部壁面１１１は、第１側面１０８と平行な面であって凹部１０７の矩形状凹部１０７ａの壁面を構成する。第１凹部壁面１１１は、短辺方向に沿って延在し、長辺方向に沿って第１バッテリーポスト１０１と対向する。第２凹部壁面１１２は、第２側面１０９と平行な面であって凹部１０７の矩形状凹部１０７ａの壁面を構成する。第２凹部壁面１１２は、長辺方向に沿って延在し、短辺方向に沿って第１バッテリーポスト１０１と対向する。第１凹部壁面１１１と第２凹部壁面１１２とは、互いに直交する。同様に、矩形状凹部１０７ｂは、第３凹部壁面１１３と第４凹部壁面１１４とによって形成される。第３凹部壁面１１３は、第３側面１１０と平行な面であって凹部１０７の矩形状凹部１０７ｂの壁面を構成する。第３凹部壁面１１３は、短辺方向に沿って延在し、長辺方向に沿って、第２バッテリーポスト１０２と対向する。第４凹部壁面１１４は、第２側面１０９と平行な面であって凹部１０７の矩形状凹部１０７ｂの壁面を構成する。第４凹部壁面１１４は、長辺方向に沿って延在し、短辺方向に沿って、第２バッテリーポスト１０２と対向する。第３凹部壁面１１３と第４凹部壁面１１４とは、互いに直交する。
【００２０】
第１バッテリーポスト１０１、第２バッテリーポスト１０２は、共に略円柱形状であり、それぞれポスト中心軸線Ｘ１、Ｘ２がポスト立設面１０６と直交するような位置関係で当該ポスト立設面１０６上に突出するようにして立設される。第１バッテリーポスト１０１のポスト中心軸線Ｘ１と第２バッテリーポスト１０２のポスト中心軸線Ｘ２とは、互いに平行である。第１バッテリーポスト１０１、第２バッテリーポスト１０２は、典型的には、軸方向の先端側に進むにつれて径が小さくなるようテーパが付けられている。つまり、第１バッテリーポスト１０１、第２バッテリーポスト１０２は、先端の外径が基端の外径より小さいテーパ形状となる。ここでは、第１バッテリーポスト１０１は、陽極用のバッテリーポストを構成し、第２バッテリーポスト１０２は、陰極用のバッテリーポストを構成する。
【００２１】
また、上記のように構成されるバッテリー１００は、第１バッテリーポスト１０１のポスト中心軸線Ｘ１と第１側面１０８との長辺方向に沿った距離Ｌ１１と、第２バッテリーポスト１０２のポスト中心軸線Ｘ２と第３側面１１０との長辺方向に沿った距離Ｌ２１とがほぼ同等の距離である。同様に、バッテリー１００は、第１バッテリーポスト１０１のポスト中心軸線Ｘ１と第２側面１０９との短辺方向に沿った距離Ｌ１２と、第２バッテリーポスト１０２のポスト中心軸線Ｘ２と第２側面１０９との短辺方向に沿った距離Ｌ２２とがほぼ同等の距離である。バッテリー１００は、第１バッテリーポスト１０１のポスト中心軸線Ｘ１と第１凹部壁面１１１との長辺方向に沿った距離Ｌ１３と、第２バッテリーポスト１０２のポスト中心軸線Ｘ２と第３凹部壁面１１３との長辺方向に沿った距離Ｌ２３とがほぼ同等の距離である。バッテリー１００は、第１バッテリーポスト１０１のポスト中心軸線Ｘ１と第２凹部壁面１１２との短辺方向に沿った距離Ｌ１４と、第２バッテリーポスト１０２のポスト中心軸線Ｘ２と第４凹部壁面１１４との短辺方向に沿った距離Ｌ２４とがほぼ同等の距離である。つまり、第１バッテリーポスト１０１、第２バッテリーポスト１０２は、バッテリー筐体１０３のポスト立設面１０６において、上記のような寸法関係となる位置に設けられる。なお、本実施形態のバッテリー１００は、いわゆるＥＮ規格（Ｅｕｒｏｐｅａｎ  Ｎｏｒｍ（Ｅｕｒｏｐｅａｎ  Ｓｔａｎｄａｒｄｓ：欧州規格）のバッテリーであり、規格内において、長辺方向に対する寸法差や公差が相対的に大きい傾向にある一方、短辺方向に対する寸法差や公差が相対的に小さい傾向にある。
【００２２】
そして、本実施形態のバッテリー端子ユニット１は、バッテリー端子２が陽極用の第１バッテリーポスト１０１に組み付けられた状態で、第１バッテリーポスト１０１のポスト中心軸線Ｘ１を回転中心としたバッテリー端子２の回転をバッテリー端子ストッパ３によって規制することで、第１バッテリーポスト１０１に対するバッテリー端子２の組み付け角度を制限するものである。以下、図１、図３、図４、図５を参照してバッテリー端子ユニット１の各構成について詳細に説明する。
【００２３】
具体的には、バッテリー端子２は、第１バッテリーポスト１０１に取り付けられることにより、バッテリー１００と、このバッテリー１００が搭載される車両等の本体側の電線の末端に設けられた端子等の金具とを電気的に接続するための部品である。バッテリー端子２は、本体部２１と、スタッドボルト２２と、締付部２３とを備える。本体部２１は、例えば、導電性を有する金属板のプレス折り曲げ加工により、環状部２１ａ、ボルト保持部２１ｂ等が一体で形成される。環状部２１ａは、第１バッテリーポスト１０１が挿入されるポスト挿入孔２１ｃと、当該ポスト挿入孔２１ｃと連続するスリット２１ｄが形成される。ポスト挿入孔２１ｃは、略円形状に形成され、第１バッテリーポスト１０１が挿入された状態で、各内周面が第１バッテリーポスト１０１と接触するように、内周壁面に上述した第１バッテリーポスト１０１のテーパに対応したテーパを有している。ボルト保持部２１ｂは、例えば、ボルト挿入孔２１ｅにスタッドボルト２２の軸部２２ａが挿入された状態で折り曲げ加工されることで、当該スタッドボルト２２を保持する部分である。スタッドボルト２２は、導電性を有し、ボルト保持部２１ｂに保持された状態で、ボルト挿入孔２１ｅから露出した軸部２２ａに電線の末端に設けられた端子等の金具が電気的に接続される。締付部２３は、ポスト挿入孔２１ｃ内に第１バッテリーポスト１０１が挿入された状態で、環状部２１ａを当該第１バッテリーポスト１０１に締結するものである。締付部２３は、例えば、ボルトと、ナットとを含んで構成され、当該ボルトが上述のスリット２１ｄを横断するような位置関係で本体部２１に組み付けられる。そして、締付部２３は、ボルトの先端部分にナットが螺合されることで、環状部２１ａを締め付けてバッテリー端子２を第１バッテリーポスト１０１に締結する。
【００２４】
バッテリー端子ストッパ３は、バッテリー筐体１０３の蓋部材１０５とバッテリー端子２との間に介在する部材であり、第１バッテリーポスト１０１へのバッテリー端子２の組み付けの前に、バッテリー端子２に装着しておくことで、バッテリー端子２の組み付け精度を向上させるものである。バッテリー端子ストッパ３は、装着部３１と、第１回り止め部３２と、第２回り止め部３３と、第３回り止め部３４と、第４回り止め部３５と、第１ＦＬ（Ｆｕｓｉｂｌｅ  Ｌｉｎｋ：ヒュージブルリンク）保持部３６と、第２ＦＬ（Ｆｕｓｉｂｌｅ  Ｌｉｎｋ：ヒュージブルリンク）保持部３７と、レバー係止部３８とを備える。バッテリー端子ストッパ３は、バッテリー液に対しての耐食性を持たせるために（防食機能を持たせるために）、合成樹脂材料等によって、装着部３１、第１回り止め部３２、第２回り止め部３３、第３回り止め部３４、第４回り止め部３５、第１ＦＬ保持部３６、及び、第２ＦＬ保持部３７が一体で形成されると共に、レバー係止部３８の一部が組み付けられる。
【００２５】
装着部３１は、バッテリー端子２に装着可能な部分である。装着部３１は、バッテリー端子２において、スタッドボルト２２の軸部２２ａが突出する側とは反対側に装着される。装着部３１は、第１バッテリーポスト１０１にバッテリー端子２が締結された状態でポスト立設面１０６とバッテリー端子２との間に介在する。装着部３１は、全体として略矩形板状に形成され、バッテリー端子２を収容する収容凹部３１ａ、及び、第１バッテリーポスト１０１が挿入される挿入孔３１ｂを有する。収容凹部３１ａは、バッテリー端子２の形状に合わせて凹部状に形成される。収容凹部３１ａは、バッテリー端子２の環状部２１ａとボルト保持部２１ｂとが長辺方向に沿って並び、かつ、ボルト保持部２１ｂが第１側面１０８側に位置し環状部２１ａが第３側面１１０側に位置する位置関係でバッテリー端子２を収容可能に形成される。装着部３１は、この収容凹部３１ａの底部を構成する板状の部分がポスト立設面１０６とバッテリー端子２との間に介在する。装着部３１は、収容凹部３１ａ内にバッテリー端子２を係止するための係止爪が設けられると共に、第１バッテリーポスト１０１が挿入される挿入孔３１ｂが当該収容凹部３１ａ内に形成される。挿入孔３１ｂは、軸方向に沿った挿入孔中心軸線Ｘ３を中心とした略円形状に形成される。挿入孔３１ｂは、収容凹部３１ａ内にバッテリー端子２が収容、係止された状態でバッテリー端子２のポスト挿入孔２１ｃと軸方向に対向する位置に形成される。挿入孔３１ｂは、バッテリー１００等で許容される公差等を踏まえて第１バッテリーポスト１０１の外径よりも十分に大きく形成される。なお、バッテリー端子２は、ポスト挿入孔２１ｃの内周壁面から突出する円環状壁部２１ｆを有し、装着部３１の収容凹部３１ａ内に収容、係止された状態で、当該円環状壁部２１ｆが装着部３１の挿入孔３１ｂに嵌合することによっても収容凹部３１ａ内に係止される。
【００２６】
第１回り止め部３２は、装着部３１に設けられ、バッテリー端子２が装着部３１と共に第１バッテリーポスト１０１に組み付けられた状態（以下、「組み付け状態」という場合がある。）で、バッテリー筐体１０３の第１側面１０８と対向する位置に形成されるものである。第１回り止め部３２は、第１側面１０８と当接することで第１バッテリーポスト１０１のポスト中心軸線Ｘ１を回転中心としたバッテリー端子２の回転を規制可能である。この場合、第１側面１０８は、第１回り止め部３２との当接面を構成する。
【００２７】
より詳細には、第１回り止め部３２は、装着部３１から延設され、組み付け状態で第１側面１０８と対向する板状部３２ａと、この板状部３２ａを補強する複数の補強リブ３２ｂとを含んで構成される。板状部３２ａは、装着部３１側を基端部として軸方向に沿って第１側面１０８側（言い換えれば第１バッテリーポスト１０１の突出側とは反対側）に突出しかつ短辺方向に沿った板状に形成される。板状部３２ａは、組み付け状態において、矩形状凹部１０７ａの短辺方向に沿った縁部に沿って延設される。板状部３２ａは、第１側面１０８と対向する対向面に複数の補強リブ３２ｂが形成されている。補強リブ３２ｂは、軸方向に沿って延在する突状補強部であり、短辺方向に沿って間隔をあけて複数（ここでは５つ）設けられる。各補強リブ３２ｂは、第１側面１０８側の端面が実際に当該第１側面１０８と当接する接触面となる。この補強リブ３２ｂの接触面（先端面）は、それぞれ略同一平面上に位置している。
【００２８】
第２回り止め部３３は、装着部３１に設けられ、バッテリー端子２が装着部３１と共に第１バッテリーポスト１０１に組み付けられた状態で、バッテリー筐体１０３の第２側面１０９と対向する位置に形成されるものである。第２回り止め部３３は、第２側面１０９と当接することで第１バッテリーポスト１０１のポスト中心軸線Ｘ１を回転中心としたバッテリー端子２の回転を規制可能である。この場合、第２側面１０９は、第２回り止め部３３との当接面を構成する。
【００２９】
より詳細には、第２回り止め部３３は、装着部３１から延設され、組み付け状態で第２側面１０９と対向する板状部３３ａと、この板状部３３ａを補強する複数の補強リブ３３ｂとを含んで構成される。板状部３３ａは、装着部３１側を基端部として軸方向に沿って第２側面１０９側（言い換えれば第１バッテリーポスト１０１の突出側とは反対側）に突出しかつ長辺方向に沿った板状に形成される。板状部３３ａは、組み付け状態において、矩形状凹部１０７ａの長辺方向に沿った縁部に沿って延設される。ここでは、板状部３３ａは、中空状に形成され、当該中空状の内部に複数の補強リブ３３ｂが格子状に設けられる。また、板状部３３ａは、第２側面１０９と対向する対向面が実際に第２側面１０９と当接する接触面となる。当該板状部３３ａの接触面を含む平面は、第１回り止め部３２の補強リブ３２ｂの接触面（先端面）を含む平面とほぼ直交する。
【００３０】
第３回り止め部３４は、装着部３１に設けられ、バッテリー端子２が装着部３１と共に第１バッテリーポスト１０１に組み付けられた状態で、バッテリー筐体１０３の第１凹部壁面１１１と対向する位置に形成されるものである。第３回り止め部３４は、第１凹部壁面１１１と当接することで第１バッテリーポスト１０１のポスト中心軸線Ｘ１を回転中心としたバッテリー端子２の回転を規制可能である。この場合、第１凹部壁面１１１は、第３回り止め部３４との当接面を構成する。
【００３１】
より詳細には、第３回り止め部３４は、装着部３１から延設され、組み付け状態で第１凹部壁面１１１と対向する板状部３４ａと、この板状部３４ａを補強する複数の補強リブ３４ｂとを含んで構成される。板状部３４ａは、装着部３１側を基端部として軸方向に沿って第１凹部壁面１１１側（言い換えれば第１バッテリーポスト１０１の突出側）に突出しかつ短辺方向に沿った板状に形成される。板状部３４ａは、組み付け状態において、第１凹部壁面１１１に沿って延設される。板状部３４ａは、第１凹部壁面１１１と対向する対向面の背面に複数の補強リブ３４ｂが形成されている。補強リブ３４ｂは、軸方向に沿って延在する突状補強部であり、短辺方向に沿って間隔をあけて複数（ここでは３つ）設けられる。また、板状部３４ａは、第１凹部壁面１１１と対向する対向面が実際に第１凹部壁面１１１と当接する接触面となる。当該板状部３４ａの接触面を含む平面は、第２回り止め部３３の板状部３３ａの接触面を含む平面とほぼ直交し、かつ、第１回り止め部３２の補強リブ３２ｂの接触面（先端面）を含む平面とほぼ平行である。
【００３２】
第４回り止め部３５は、装着部３１に設けられ、バッテリー端子２が装着部３１と共に第１バッテリーポスト１０１に組み付けられた状態で、バッテリー筐体１０３の第２凹部壁面１１２と対向する位置に形成されるものである。第４回り止め部３５は、第２凹部壁面１１２と当接することで第１バッテリーポスト１０１のポスト中心軸線Ｘ１を回転中心としたバッテリー端子２の回転を規制可能である。この場合、第２凹部壁面１１２は、第４回り止め部３５との当接面を構成する。
【００３３】
より詳細には、第４回り止め部３５は、装着部３１から延設され、組み付け状態で第２凹部壁面１１２と対向する板状部３５ａと、この板状部３５ａを装着部３１に連結する複数の連結リブ３５ｂとを含んで構成される。板状部３５ａは、装着部３１側を基端部として軸方向に沿って第２凹部壁面１１２側（言い換えれば第１バッテリーポスト１０１の突出側）に突出しかつ長辺方向に沿った板状に形成される。板状部３５ａは、組み付け状態において、第２凹部壁面１１２に沿って延設される。板状部３５ａは、第２凹部壁面１１２と対向する対向面の背面に複数の連結リブ３５ｂが形成されている。複数の連結リブ３５ｂは、装着部３１まで延設され、板状部３５ａと装着部３１とを連結する板状連結部であり、長辺方向に沿って間隔をあけて複数（ここでは５つ）設けられる。また、板状部３５ａは、第２凹部壁面１１２と対向する対向面が実際に第２凹部壁面１１２と当接する接触面となる。当該板状部３５ａの接触面を含む平面は、第１回り止め部３２の補強リブ３２ｂの接触面（先端面）を含む平面、及び、第３回り止め部３４の板状部３４ａの接触面を含む平面とほぼ直交し、かつ、第２回り止め部３３の板状部３３ａの接触面を含む平面とほぼ平行である。
【００３４】
第１ＦＬ保持部３６は、ＦＬユニット６を保持するものであり、第２回り止め部３３の板状部３３ａにおいて、第２側面１０９との対向面（接触面）の背面側に凹部状に形成される。第１ＦＬ保持部３６は、ＦＬユニット６を凹部状の部分に誘い込む誘い込み構造、凹部状の部分に嵌合されたＦＬユニット６を係止し保持する係止構造等を含んで構成される。
【００３５】
第２ＦＬ保持部３７は、ＦＬユニット７を保持するものであり、第１回り止め部３２の板状部３２ａにおいて、第１側面１０８との対向面（接触面）の背面側に凹部状に形成される。第２ＦＬ保持部３７は、ＦＬユニット７を凹部状の部分に誘い込む誘い込み構造、凹部状の部分に嵌合されたＦＬユニット７を係止し保持する係止構造等を含んで構成される。
【００３６】
レバー係止部３８は、バッテリー端子ストッパ３をバッテリー筐体１０３に係止するものである。レバー係止部３８は、一例として、蓋部材１０５の縁部の端面に係止可能である係止爪部３８ａと、係止爪部３８ａに組み付けられたレバー部３８ｂとを含んで構成される。係止爪部３８ａ、レバー部３８ｂは、装着部３１等とは別体に形成され、第２回り止め部３３、第３回り止め部３４、第４回り止め部３５から延設された係止部保持部３９に組み付けられる。レバー係止部３８は、レバー部３８ｂを回動することで、係止爪部３８ａが蓋部材１０５の縁部の端面に係止されバッテリー端子ストッパ３をバッテリー筐体１０３に係止する状態と、係止爪部３８ａが蓋部材１０５の縁部の端面から離間し、バッテリー端子ストッパ３のバッテリー筐体１０３への係止が解除された状態とを切り替えることができる。ここでは、係止部保持部３９は、組み付け状態で、バッテリー筐体１０３の第２側面１０９側に面して位置しており、係止爪部３８ａは、蓋部材１０５の第２側面１０９側の縁部の端面に係止可能な位置に設けられる。
【００３７】
カバー４は、バッテリー端子ストッパ３の装着部３１の収容凹部３１ａ内に収容され係止されたバッテリー端子２の環状部２１ａを覆い、軸方向に対して装着部３１との間に当該バッテリー端子２を保持するものである。カバー４は、装着部３１に係止爪等を介して係止される。カバー４は、装着部３１に係止された状態で、挿入孔３１ｂと軸方向に対向する位置に、第１バッテリーポスト１０１が挿入される略円形状の挿入孔４ａが形成される。なお、カバー４は、バッテリー端子ストッパ３と別体に形成されるものとして図示しているがこれに限らず、ヒンジ等を介してバッテリー端子ストッパ３と一体で形成されると共に当該ヒンジを支点として開閉な構造としてもよい。
【００３８】
連結バスバ５は、バッテリー端子２と、バッテリー端子ストッパ３に内蔵されたスタッドボルト９とを電気的に接続するものである。スタッドボルト９は、装着部３１の収容凹部３１ａと第２回り止め部３３の板状部３３ａとの間にインサート成形等によって軸部９ａが露出した状態で内蔵される。連結バスバ５は、導電性を有する金属板によって板状に形成される。連結バスバ５は、バッテリー端子２のスタッドボルト２２の軸部２２ａが挿入される軸部挿入孔５ａと、スタッドボルト９の軸部９ａが挿入される軸部挿入孔５ｂとを有する。連結バスバ５は、軸部挿入孔５ａにスタッドボルト２２の軸部２２ａが挿入された状態で軸部２２ａにナット等が螺合することで当該軸部２２ａに締結され、軸部挿入孔５ｂにスタッドボルト９の軸部９ａが挿入された状態で軸部９ａにナット等が螺合することで当該軸部９ａに締結される。これにより、連結バスバ５は、スタッドボルト２２とスタッドボルト９とを相互に電気的に接続する。
【００３９】
ＦＬユニット６、７は、それぞれバッテリー端子２と接続され、過電流が流れたときに溶断する可溶体（ヒューズ）を有するものである。ＦＬユニット６、７は、それぞれ、可溶体が設けられた金属バスバ等のヒューズエレメント、ヒューズエレメントを収容する絶縁性のハウジング、ヒューズエレメントと種々の電線とを接続するスタッドボルト等を含んで構成される。ＦＬユニット６は、第１ＦＬ保持部３６に保持されると共に、ヒューズエレメントがスタッドボルト９の軸部９ａに電気的に接続される。ＦＬユニット７は、第２ＦＬ保持部３７に保持されると共に、ヒューズエレメントがスタッドボルト９の軸部９ａに電気的に接続される。
【００４０】
上記のように構成されるバッテリー端子ストッパ３は、装着部３１がバッテリー端子２に装着されることで、バッテリー端子２と共にバッテリー端子ユニット１を構成する。バッテリー端子ユニット１は、スタッドボルト２２とスタッドボルト９とを相互に電気的に接続するように連結バスバ５が設けられると共に、バッテリー端子ストッパ３の第１ＦＬ保持部３６、第２ＦＬ保持部３７にＦＬユニット６、７が設けられスタッドボルト９と電気的に接続される。また、バッテリー端子ユニット１は、スタッドボルト２２に電線の末端に設けられた端子等の金具が電気的に接続される。そして、バッテリー端子ユニット１は、バッテリー端子２のポスト挿入孔２１ｃに第１バッテリーポスト１０１が挿入されることで、第１バッテリーポスト１０１に組み付けられる。バッテリー端子ストッパ３は、レバー係止部３８を介してバッテリー筐体１０３に係止される。
【００４１】
バッテリー端子ユニット１は、この組み付け状態で、バッテリー端子ストッパ３の第１回り止め部３２がバッテリー筐体１０３の第１側面１０８と当接すること、あるいは、第２回り止め部３３がバッテリー筐体１０３の第２側面１０９と当接することで第１バッテリーポスト１０１を回転中心としたバッテリー端子２の回転を規制する。これにより、バッテリー端子ユニット１は、当該バッテリー端子ストッパ３によって、第１バッテリーポスト１０１に対するバッテリー端子２の組み付け角度の許容範囲を相対的に狭い範囲に限定することができる。ここでは、バッテリー端子ユニット１は、バッテリー端子ストッパ３の第３回り止め部３４がバッテリー筐体１０３の第１凹部壁面１１１と当接すること、あるいは、第４回り止め部３５がバッテリー筐体１０３の第２凹部壁面１１２と当接することでも、第１バッテリーポスト１０１を回転中心としたバッテリー端子２の回転を規制することができる。これにより、バッテリー端子ユニット１は、より確実に第１バッテリーポスト１０１に対するバッテリー端子２の組み付け角度の許容範囲を相対的に狭い範囲に限定することができる。
【００４２】
なお、このバッテリー端子ストッパ３は、第１バッテリーポスト１０１の取付位置寸法等における寸法公差（製造上許容される寸法誤差）等に応じて発生しうる第１回り止め部３２と第１側面１０８との間のクリアランス、第２回り止め部３３と第２側面１０９との間のクリアランス、第３回り止め部３４と第１凹部壁面１１１とのクリアランス、及び、第４回り止め部３５と第２凹部壁面１１２とのクリアランスの大小関係に応じて、第１回り止め部３２、第２回り止め部３３、第３回り止め部３４、第４回り止め部３５のうちのどれが先にバッテリー筐体１０３に当接するかが変わることとなる。
【００４３】
そして、バッテリー端子２は、上記のようにバッテリー端子ストッパ３によって、第１バッテリーポスト１０１に対する組み付け角度の許容範囲が相対的に狭い範囲に限定された状態で、締付部２３によって締め付けられることで、第１バッテリーポスト１０１に締結される。この結果、バッテリー端子ユニット１は、バッテリー端子２の組み付け角度のバラツキを相対的に小さな角度範囲内に抑制することができるので、第１バッテリーポスト１０１に対するバッテリー端子２の組み付け精度を向上することができる。したがって、このバッテリー端子ユニット１は、例えば、製造上要求される適正な組み付け角度でバッテリー端子２を第１バッテリーポスト１０１に組み付け、締結することができるので、バッテリー１００を車両等に搭載した状態で、バッテリー端子２に組み付けられる部品が車両側の他の部品に干渉してしまうことを抑制することができる。
【００４４】
そして、本実施形態のバッテリー端子ユニット１は、バッテリー端子ストッパ３の寸法関係がバッテリー１００の各部の寸法関係に応じて所定の寸法関係となるように構成されることで、誤った位置関係での誤組み付け防止を図っている。
【００４５】
具体的には、第１回り止め部３２は、挿入孔３１ｂの挿入孔中心軸線Ｘ３と当該第１回り止め部３２との長辺方向に沿った距離Ｌ３１が、第１バッテリーポスト１０１のポスト中心軸線Ｘ１と第１側面１０８との長辺方向に沿った距離Ｌ１１以上で、かつ、第１バッテリーポスト１０１のポスト中心軸線Ｘ１と第２側面１０９との短辺方向に沿った距離Ｌ１２未満となる位置に形成される（Ｌ１１≦Ｌ３１＜Ｌ１２）。第２回り止め部３３は、挿入孔３１ｂの挿入孔中心軸線Ｘ３と当該第２回り止め部３３との短辺方向に沿った距離Ｌ３２が、第１バッテリーポスト１０１のポスト中心軸線Ｘ１と第２側面１０９との短辺方向に沿った距離Ｌ１２以上となる位置に形成される（Ｌ３２≧Ｌ１２）。第３回り止め部３４は、挿入孔３１ｂの挿入孔中心軸線Ｘ３と当該第３回り止め部３４との長辺方向に沿った距離Ｌ３３が、第１バッテリーポスト１０１のポスト中心軸線Ｘ１と第１凹部壁面１１１との長辺方向に沿った距離Ｌ１３以下となる位置に形成される（Ｌ３３≦Ｌ１３）。第４回り止め部３５は、挿入孔３１ｂの挿入孔中心軸線Ｘ３と当該第４回り止め部３５との短辺方向に沿った距離Ｌ３４が、第１バッテリーポスト１０１のポスト中心軸線Ｘ１と第２凹部壁面１１２との短辺方向に沿った距離Ｌ１４以下となる位置に形成される（Ｌ３４≦Ｌ１４）。
【００４６】
ここでより詳細には、上記距離Ｌ３１は、第１回り止め部３２における第１側面１０８との接触面（補強リブ３２ｂの先端面）と挿入孔中心軸線Ｘ３との長辺方向に沿った距離である。上記距離Ｌ３２は、第２回り止め部３３における第２側面１０９との接触面（板状部３３ａにおいて第２側面１０９と対向する対向面）と挿入孔中心軸線Ｘ３との短辺方向に沿った距離である。上記距離Ｌ３３は、第３回り止め部３４における第１凹部壁面１１１との接触面（板状部３４ａにおいて第１凹部壁面１１１と対向する対向面）と挿入孔中心軸線Ｘ３との長辺方向に沿った距離である。上記距離Ｌ３４は、第４回り止め部３５における第２凹部壁面１１２との接触面（板状部３５ａにおいて第２凹部壁面１１２と対向する対向面）と挿入孔中心軸線Ｘ３との短辺方向に沿った距離である。バッテリー端子ストッパ３は、公差を踏まえた上で上記のような寸法関係となる位置に第１回り止め部３２、第２回り止め部３３、第３回り止め部３４、第４回り止め部３５の各接触面が形成される。
【００４７】
上記のように構成されるバッテリー端子ユニット１は、バッテリー端子ストッパ３の各部の寸法関係が上記のように構成されることから、バッテリー端子ストッパ３が第１バッテリーポスト１０１に対して予め定められた特定の位置関係となるように第１バッテリーポスト１０１に組み付けることができる。すなわち、バッテリー端子ユニット１は、第１回り止め部３２が第１側面１０８と対向し、第２回り止め部３３が第２側面１０９と対向し、第３回り止め部３４が第１凹部壁面１１１と対向し、第４回り止め部３５が第２凹部壁面１１２と対向する位置関係で組み付けられる場合に第１バッテリーポスト１０１に組み付けることができる。
【００４８】
一方、バッテリー端子ユニット１は、図６に例示するように、第１回り止め部３２が第２凹部壁面１１２側に位置し、第２回り止め部３３が第１側面１０８側に位置し、第３回り止め部３４が第２側面１０９側に位置し、第４回り止め部３５が第１凹部壁面１１１側に位置する位置関係で第１バッテリーポスト１０１に組み付けようとした場合、少なくとも第１回り止め部３２が蓋部材１０５に当接し干渉することで組み付けが阻止される。
【００４９】
また、バッテリー端子ユニット１は、図７に例示するように、第１回り止め部３２が第１凹部壁面１１１に位置し、第２回り止め部３３が第２凹部壁面１１２側に位置し、第３回り止め部３４が第１側面１０８側に位置し、第４回り止め部３５が第２側面１０９側に位置する位置関係で第１バッテリーポスト１０１に組み付けようとした場合、少なくとも第１回り止め部３２、第２回り止め部３３が蓋部材１０５に当接し干渉することで組み付けが阻止される。
【００５０】
また、バッテリー端子ユニット１は、図８に例示するように、第１回り止め部３２が第２側面１０９に位置し、第２回り止め部３３が第１凹部壁面１１１側に位置し、第３回り止め部３４が第２凹部壁面１１２側に位置し、第４回り止め部３５が第１側面１０８側に位置する位置関係で第１バッテリーポスト１０１に組み付けようとした場合、少なくとも第２回り止め部３３が蓋部材１０５に当接し干渉することで組み付けが阻止される。
【００５１】
また、バッテリー端子ユニット１は、図９に例示するように、第１回り止め部３２が第３凹部壁面１１３側に位置し、第２回り止め部３３が第２側面１０９側に位置し、第３回り止め部３４が第３側面１１０側に位置し、第４回り止め部３５が第４凹部壁面１１４側に位置する位置関係で第２バッテリーポスト１０２に組み付けようとした場合、少なくとも第１回り止め部３２が蓋部材１０５に当接し干渉することで組み付けが阻止される。
【００５２】
また、バッテリー端子ユニット１は、図１０に例示するように、第１回り止め部３２が第４凹部壁面１１４側に位置し、第２回り止め部３３が第３凹部壁面１１３側に位置し、第３回り止め部３４が第２側面１０９側に位置し、第４回り止め部３５が第３側面１１０側に位置する位置関係で第２バッテリーポスト１０２に組み付けようとした場合、少なくとも第１回り止め部３２、第２回り止め部３３が蓋部材１０５に当接し干渉することで組み付けが阻止される。
【００５３】
また、バッテリー端子ユニット１は、図１１に例示するように、第１回り止め部３２が第３側面１１０側に位置し、第２回り止め部３３が第４凹部壁面１１４側に位置し、第３回り止め部３４が第３凹部壁面１１３側に位置し、第４回り止め部３５が第２側面１０９側に位置する位置関係で第２バッテリーポスト１０２に組み付けようとした場合、少なくとも第２回り止め部３３が蓋部材１０５に当接し干渉することで組み付けが阻止される。
【００５４】
そして、バッテリー端子ユニット１は、図１２に例示するように、第１回り止め部３２が第２側面１０９側に位置し、第２回り止め部３３が第３側面１１０側に位置し、第３回り止め部３４が第４凹部壁面１１４側に位置し、第４回り止め部３５が第３凹部壁面１１３側に位置する位置関係で第２バッテリーポスト１０２に組み付けようとした場合、第１回り止め部３２が［Ｌ３１＜Ｌ１２、Ｌ２２］となる位置に形成されることから、少なくとも第１回り止め部３２が蓋部材１０５のポスト立設面１０６に当接し干渉することで組み付けが阻止される。
【００５５】
以上で説明したバッテリー端子ストッパ３によれば、バッテリー筐体１０３のポスト立設面１０６に設けられた第１バッテリーポスト１０１が挿入される挿入孔３１ｂを有し、第１バッテリーポスト１０１に組み付けられるバッテリー端子２に装着可能である装着部３１と、装着部３１に設けられ、バッテリー端子２が装着部３１と共に第１バッテリーポスト１０１に組み付けられた状態で、ポスト立設面１０６と直交する方向に沿って延在する面であってバッテリー筐体１０３の側面を構成する第１側面１０８と対向し、当該第１側面１０８と当接することで第１バッテリーポスト１０１を回転中心としたバッテリー端子２の回転を規制可能である第１回り止め部３２と、装着部３１に設けられ、バッテリー端子２が装着部３１と共に第１バッテリーポスト１０１に組み付けられた状態で、ポスト立設面１０６、及び、第１側面１０８と直交する方向に沿って延在する面であってバッテリー筐体１０３の側面を構成する第２側面１０９と対向し、当該第２側面１０９と当接することで第１バッテリーポスト１０１を回転中心としたバッテリー端子２の回転を規制可能である第２回り止め部３３とを備え、第１回り止め部３２は、挿入孔３１ｂの挿入孔中心軸線Ｘ３と当該第１回り止め部３２との距離Ｌ３１が、第１バッテリーポスト１０１のポスト中心軸線Ｘ１と第１側面１０８との距離Ｌ１１以上で、かつ、第１バッテリーポスト１０１のポスト中心軸線Ｘ１と第２側面１０９との距離Ｌ１２未満となる位置に形成される。以上で説明したバッテリー端子ユニット１によれば、バッテリー筐体１０３のポスト立設面１０６に設けられた第１バッテリーポスト１０１に組み付けられるバッテリー端子２と、上記バッテリー端子ストッパ３とを備える。
【００５６】
したがって、バッテリー端子ユニット１、バッテリー端子ストッパ３は、第１バッテリーポスト１０１に対するバッテリー端子２の組み付け角度の許容範囲を相対的に狭い範囲に限定することができるので、第１バッテリーポスト１０１に対するバッテリー端子２の組み付け精度を向上することができる。そして、バッテリー端子ユニット１、バッテリー端子ストッパ３は、上記のような寸法関係となる位置に第１回り止め部３２、第２回り止め部３３が形成されることで、第１バッテリーポスト１０１に対して予め定められた特定の位置関係で組み付けることができるので、例えば、第１バッテリーポスト１０１に対する組み付け方向を誤ったり、陽極用のバッテリー端子ユニット１を陰極側に組み付けたりすることを防止することができる。つまり、バッテリー端子ユニット１、バッテリー端子ストッパ３は、バッテリー１００に対して誤った位置関係で組み付けられることを防止するためのフールプルーフ（ＦＰ：Ｆｏｏｌ  Ｐｒｏｏｆ）構造を有することができる。この結果、バッテリー端子ユニット１、バッテリー端子ストッパ３は、誤組み付けを防止することができる。
【００５７】
またここでは、バッテリー端子ユニット１、バッテリー端子ストッパ３は、寸法差や公差が相対的に大きい長辺方向に沿った距離Ｌ３１が、寸法差や公差が相対的に小さい短辺方向に沿った距離Ｌ１２、Ｌ２２より短くなる位置に第１回り止め部３２が設けられることから、寸法差や公差を踏まえても適用可能なバッテリー１００の範囲を広げることができ汎用性を向上することができる。
【００５８】
さらに、以上で説明したバッテリー端子ストッパ３、バッテリー端子ユニット１によれば、ポスト立設面１０６は、バッテリー筐体１０３に形成された凹部１０７の底面によって形成され、さらに、装着部３１に設けられ、バッテリー端子２が装着部３１と共に第１バッテリーポスト１０１に組み付けられた状態で、第１側面１０８と平行な面であって凹部１０７の壁面を構成する第１凹部壁面１１１と対向し、当該第１凹部壁面１１１と当接することで第１バッテリーポスト１０１を回転中心としたバッテリー端子２の回転を規制可能である第３回り止め部３４と、装着部３１に設けられ、バッテリー端子２が装着部３１と共に第１バッテリーポスト１０１に組み付けられた状態で、第２側面１０９と平行な面であって凹部１０７の壁面を構成する第２凹部壁面１１２と対向し、当該第２凹部壁面１１２と当接することで第１バッテリーポスト１０１を回転中心としたバッテリー端子２の回転を規制可能である第４回り止め部３５とを備える。したがって、バッテリー端子ユニット１、バッテリー端子ストッパ３は、第１バッテリーポスト１０１に対するバッテリー端子２の組み付け角度の許容範囲を、より確実に相対的に狭い範囲に限定することができ、その上で、誤組み付けを防止することができる。
【００５９】
さらに、以上で説明したバッテリー端子ストッパ３、バッテリー端子ユニット１によれば、バッテリー筐体１０３は、第１側面１０８と対向しかつ当該第１側面１０８と平行な面であってバッテリー筐体１０３の側面を構成する第３側面１１０を有し、ポスト立設面１０６と第１側面１０８と第２側面１０９とによって形成される角部に第１バッテリーポスト１０１が設けられ、ポスト立設面１０６と第２側面１０９と第３側面１１０とによって形成される角部に第１バッテリーポスト１０１とは異なる第２バッテリーポスト１０２が設けられ、第２バッテリーポスト１０２のポスト中心軸線Ｘ２と第３側面１１０との距離Ｌ２１が第１バッテリーポスト１０１のポスト中心軸線Ｘ１と第１側面１０８との距離Ｌ１１と同等であり、かつ、第２バッテリーポスト１０２のポスト中心軸線Ｘ２と第２側面１０９との距離Ｌ２２が第１バッテリーポスト１０１のポスト中心軸線Ｘ１と第２側面１０９との距離Ｌ１２と同等である。したがって、バッテリー端子ユニット１、バッテリー端子ストッパ３は、バッテリー筐体１０３に第１バッテリーポスト１０１、第２バッテリーポスト１０２が設けられる構成にあって、上記のような寸法関係となる位置に第１回り止め部３２が設けられることで、第１バッテリーポスト１０１用のバッテリー端子ユニット１を第２バッテリーポスト１０２側に組み付けることを防止することができる。
【００６０】
なお、上述した本発明の実施形態に係るバッテリー端子ストッパ、及び、バッテリー端子ユニットは、上述した実施形態に限定されず、特許請求の範囲に記載された範囲で種々の変更が可能である。
【００６１】
以上で説明したバッテリー端子ストッパ３、バッテリー端子ユニット１は、ＥＮ規格のバッテリー１００に適用されるものとして説明したがこれに限らず、他の規格、例えば、ＪＩＳ規格等のバッテリーに適用されてもよいし、規格にかかわらず種々のバッテリーに適用されてもよい。
【００６２】
以上で説明したポスト立設面１０６は、例えば、バッテリー１００が車両等に搭載された状態で、蓋部材１０５の鉛直方向上側の面に形成された凹部１０７の底面によって形成されるものとして説明したがこれに限らず、バッテリー１００が凹部１０７を有さない構成において、蓋部材１０５の鉛直方向上側の面によって形成されてもよい。
【００６３】
以上の説明では、第１バッテリーポスト１０１は、陽極用のバッテリーポストを構成し、第２バッテリーポスト１０２は、陰極用のバッテリーポストを構成するものとして説明したがこの逆であってもよく、バッテリー端子ユニット１は、陰極用の第１バッテリーポスト１０１に設けられるバッテリー端子２に対して適用されてもよい。
【００６４】
以上で説明したバッテリー端子ユニット１、バッテリー端子ストッパ３は、第３回り止め部３４と、第４回り止め部３５とを備えるものとして説明したがこれに限らず、また、カバー４、連結バスバ５、ＦＬユニット６、７、第１ＦＬ保持部３６、第２ＦＬ保持部３７、レバー係止部３８等を備えない構成であってもよい。
【符号の説明】
【００６５】
１    バッテリー端子ユニット
２    バッテリー端子
３    バッテリー端子ストッパ
３１    装着部
３１ｂ    挿入孔
３２    第１回り止め部
３３    第２回り止め部
３４    第３回り止め部
３５    第４回り止め部
１０１    第１バッテリーポスト
１０２    第２バッテリーポスト
１０３    バッテリー筐体
１０６    ポスト立設面
１０７    凹部
１０８    第１側面
１０９    第２側面
１１０    第３側面
１１１    第１凹部壁面
１１２    第２凹部壁面
Ｘ１    第１バッテリーポストのポスト中心軸線
Ｘ２    第２バッテリーポストのポスト中心軸線
Ｘ３    挿入孔中心軸線
【図１】
0006677991.tif 000002
【図２】
0006677991.tif 000003
【図３】
0006677991.tif 000004
【図４】
0006677991.tif 000005
【図５】
0006677991.tif 000006
【図６】
0006677991.tif 000007
【図７】
0006677991.tif 000008
【図８】
0006677991.tif 000009
【図９】
0006677991.tif 000010
【図１０】
0006677991.tif 000011
【図１１】
0006677991.tif 000012
【図１２】
0006677991.tif 000013